(57)【要約】【課題】太陽電池や燃料電池などの発電電力によりリレーなどを動作させ、発電電力をスイッチもしくはセンサのように利用し、電化製品などの電力供給を制御して待機電力を削減することを目的とする。【解決手段】発電する発電手段である太陽電池１と太陽電池１の発電電力により導通するスイッチ手段である常時ＯＦＦリレー２を備えた構成とし、太陽電池１により発電した電力により常時ＯＦＦリレー２を導通不導通させることで、ハンドドライヤー、換気扇などの電化製品６の電力供給を制御し、電化製品６の待機電力を削減することができる発電スイッチ装置が得られる。【選択図】図１
2007020292.tif 000002
【特許請求の範囲】
【請求項１】
発電する発電手段と前記発電手段の発電電力により導通するスイッチ手段を備えた発電スイッチ装置。
【請求項２】
発電する発電手段と前記発電手段の発電電力により不導通するスイッチ手段を備えた発電スイッチ装置。
【請求項３】
電化製品等の電源入力ラインに使用するようにする請求項１または２記載の発電スイッチ装置。
【請求項４】
発電手段の出力側に前記発電手段で発電した電力を異なる電力に変換する電力変換手段を用いた請求項１、２または３記載の発電スイッチ装置。
【請求項５】
発電手段により発電した余剰電力を電化製品等の消費電力に利用する請求項１、２、３または４記載の発電スイッチ装置。
【請求項６】
発電手段に室内の明かり等で発電する太陽電池を用いた請求項１、２、３、４または５記載の発電スイッチ装置。
【請求項７】
発電手段に室内の明かり等で発電する太陽電池を用いて室内の明かりが点灯したことを検出するセンサとして使用する請求項１、２、３、４または５記載の発電スイッチ装置。
【請求項８】
スイッチ手段にリレーを用いた請求項１、２、３、４、５、６または７記載の発電スイッチ装置。
【請求項９】
スイッチ手段に半導体スイッチを用いた請求項１、２、３、４、５、６または７記載の発電スイッチ装置。
【請求項１０】
電力変換手段にＤＣ／ＤＣ変換を用いた請求項１、２、３、４、５、６、７、８または９記載の発電スイッチ装置。
【請求項１１】
電力変換手段にＡＣ／ＤＣ変換を用いた請求項１、２、３、４、５、６、７、８または９記載の発電スイッチ装置。
【請求項１２】
電力変換手段にＡＣ／ＡＣ変換を用いた請求項１、２、３、４、５、６、７、８または９記載の発電スイッチ装置。
【請求項１３】
電力変換手段にＤＣ／ＡＣ変換を用いた請求項１、２、３、４、５、６、７、８または９記載の発電スイッチ装置。
【発明の詳細な説明】
【技術分野】
【０００１】
本発明は、太陽電池や燃料電池などの発電電力によりリレーなどを動作させ、商用電源の電力を使用しないスイッチもしくはセンサとして使用することにより、電化製品の待機電力を削減する装置に関する。
【背景技術】
【０００２】
近年、家庭で使用されるビデオデッキやテレビやオーディオコンポなどの電化製品は、使用していないときでも主電源を切らない限り、リモコンなどの外部信号操作をいつでも受け付けられるように内部のマイコンなどで商用電源から電力を消費している。そのため、電化製品の待機電力を削減するためには、電化製品の主電源を切って商用電源から切り離すことが有効である。
【０００３】
しかしながら、使用しない電化製品の電力供給を自動的に遮断し、電化製品を使用するときに自動的に電化製品へ電力を供給するような装置は発明されていない（例えば、特許文献１参照）。
【０００４】
以下、その待機電力削減方法について説明する。
【０００５】
太陽電池で発電した電力を蓄電池に蓄えてマイコンで利用する。蓄電池からマイコンなどへの電力供給により、蓄電池の電圧が低下してきた場合は、その電圧低下を検出しリレーを介して商用電源から電力をマイコンなどへ供給する。このように太陽電池の発電電力を常時必要となるマイコンなどの電力に利用することで待機電力を低減しようとするものである。
【特許文献１】特開２０００−２１７２７１号公報
【発明の開示】
【発明が解決しようとする課題】
【０００６】
このような従来の方法では、使用しない電化製品等の待機電力を低減することは可能であるが、商用電源からも電力を消費することになる。
【０００７】
また、このような従来の機器では、電化製品などが商用電源から消費する待機電力を無くすために、使用者が電化製品の主電源を切る必要がある。
【０００８】
本発明は、このような従来の課題を解決するものであり、商用電源からの電源供給を必要とせず、電化製品等の待機電力を自動的に削減することができるスイッチ装置を提供することができる。
【課題を解決するための手段】
【０００９】
本発明は上記目的を達成するために、発電する発電手段と前記発電手段の発電電力により導通するスイッチ手段を備えた構成としたものである。
【００１０】
この手段により、発電した電力により導通する発電スイッチ装置が得られる。
【００１１】
さらに、発電する発電手段と前記発電手段の発電電力により不導通するスイッチ手段を備えた構成としたものである。
【００１２】
この手段により、発電した電力により不導通する発電スイッチ装置が得られる。
【００１３】
さらに、スイッチ装置を電化製品等の電源入力ラインに使用する構成としたものである。
【００１４】
この手段により、電化製品の商用電源からの電力供給を制御することが可能となる発電スイッチ装置が得られる。
【００１５】
さらに、発電手段の出力側に前記発電手段で発電した電力を異なる電力に変換する電力変換手段を用いた構成としたものである。
【００１６】
この手段により、発電手段の発電電力を任意の電力へ変換して利用することが可能となる発電スイッチ装置が得られる。
【００１７】
さらに、発電手段により発電した余剰電力を電化製品等の消費電力に利用する構成としたものである。
【００１８】
この手段により、発電した余剰電力を電化製品に供給することが可能となる発電スイッチ装置が得られる。
【００１９】
さらに、発電手段に室内の明かり等で発電する太陽電池を用いた構成としたものである。
【００２０】
この手段により、室内の明かり等を利用した発電電力により動作する発電スイッチ装置が得られる。
【００２１】
さらに、発電手段に室内の明かり等で発電する太陽電池を用いて室内の明かりが点灯したことを検出するセンサとして使用する構成としたものである。
【００２２】
この手段により、室内の明かりの点灯および消灯により人の在室等を検出することが可能となる発電スイッチ装置が得られる。
【００２３】
さらに、スイッチ手段にリレーを用いた構成としたものである。
【００２４】
この手段により、発電電力の種類とは異なる電力を制御することが可能となる発電スイッチ装置が得られる。
【００２５】
さらに、スイッチ手段に半導体スイッチを用いた構成としたものである。
【００２６】
この手段により、寿命の長い発電スイッチ装置が得られる。
【００２７】
さらに、電力変換手段にＤＣ／ＤＣ変換を用いた構成としたものである。
【００２８】
この手段により、発電電力の直流電圧を任意の直流電圧に変換して利用することができる発電スイッチ装置が得られる。
【００２９】
さらに、電力変換手段にＡＣ／ＤＣ変換を用いた構成としたのものである。
【００３０】
この手段により、発電電力が交流電力であっても任意の直流電力に変換して利用することができる発電スイッチ装置を得ることができる。
【００３１】
さらに、電力変換手段にＡＣ／ＡＣ変換を用いた構成としたものである。
【００３２】
この手段により、発電電力の交流電圧を任意の交流電圧に変換して利用することができる発電スイッチ装置を得ることができる。
【００３３】
さらに、電力変換手段にＤＣ／ＡＣ変換を用いた構成としたのものである。
【００３４】
この手段により、発電電力が直流電力であっても任意の交流電力に変換して利用することができる発電スイッチ装置を得ることができる。
【発明の効果】
【００３５】
本発明によれば、発電した電力により導通する発電スイッチ装置が得られる。
【００３６】
また、発電した電力により不導通する発電スイッチ装置が得られる。
【００３７】
また、電化製品の商用電源からの電力供給を制御することが可能となる発電スイッチ装置が得られる。
【００３８】
また、発電手段の発電電力を任意の電力へ変換して利用することが可能となる発電スイッチ装置が得られる。
【００３９】
また、発電した余剰電力を電化製品に供給することが可能となる発電スイッチ装置が得られる。
【００４０】
また、室内の明かり等を利用した発電電力により動作する発電スイッチ装置が得られる。
【００４１】
また、室内の明かりの点灯および消灯により人の在室等を検出することが可能となる発電スイッチ装置が得られる。
【００４２】
また、発電電力の種類とは異なる電力を制御することが可能となる発電スイッチ装置が得られる。
【００４３】
また、寿命の長い発電スイッチ装置が得られる。
【００４４】
また、発電電力の直流電圧を任意の直流電圧に変換して利用することができる発電スイッチ装置が得られる。
【００４５】
また、発電電力が交流電力であっても任意の直流電力に変換して利用することができる発電スイッチ装置を得ることができる。
【００４６】
また、発電電力の交流電圧を任意の交流電圧に変換して利用することができる発電スイッチ装置を得ることができる。
【００４７】
また、発電電力が直流電力であっても任意の交流電力に変換して利用することができる発電スイッチ装置を得ることができる。
【発明を実施するための最良の形態】
【００４８】
本発明の請求項１記載の発明は、発電する発電手段と前記発電手段の発電電力により導通するスイッチ手段を備えた構成とし、自ら発電した電力により導通する作用を有する。
【００４９】
また、発電する発電手段と前記発電手段の発電電力により不導通するスイッチ手段を備えた構成とし、自ら発電した電力により不導通するという作用を有する。
【００５０】
また、電化製品等の電源入力ラインに使用するようにする構成とし、電化製品の商用電源からの電力供給を制御することができるという作用を有する。
【００５１】
また、発電手段の出力側に前記発電手段で発電した電力を異なる電力に変換する電力変換手段を用いた構成とし、発電手段の発電電力を任意の電力へ変換して利用することができるという作用を有する。
【００５２】
また、発電手段により発電した余剰電力を電化製品等の消費電力に利用する構成とし、発電した余剰電力を電化製品に供給することができるという作用を有する。
【００５３】
また、発電手段に室内の明かり等で発電する太陽電池を用いた構成とし、室内の明かり等を利用した発電電力により、導通もしくは不導通することができるという作用を有する。
【００５４】
また、発電手段に室内の明かり等で発電する太陽電池を用いて室内の明かりが点灯したことを検出するセンサとして使用する構成とし、室内の明かりの点灯および消灯により人の在室等を検出することができるという作用を有する。
【００５５】
また、スイッチ手段にリレーを用いた構成とし、発電電力の種類とは異なる電力を制御することができるという作用を有する。
【００５６】
また、スイッチ手段に半導体スイッチを用いた構成とし、寿命の長い発電スイッチ装置が得られるという作用を有する。
【００５７】
また、電力変換手段にＤＣ／ＤＣ変換を用いた構成とし、発電電力の直流電圧を任意の直流電圧に変換して利用することができるという作用を有する。
【００５８】
また、電力変換手段にＡＣ／ＤＣ変換を用いた構成とし、発電電力が交流電力であっても任意の直流電力に変換して利用することができるという作用を有する。
【００５９】
また、電力変換手段にＡＣ／ＡＣ変換を用いた構成とし、発電電力の交流電圧を任意の交流電圧に変換して利用することができるという作用を有する。
【００６０】
また、電力変換手段にＤＣ／ＡＣ変換を用いた構成とし、発電電力が直流電力であっても任意の交流電力に変換して利用することができるという作用を有する。
【００６１】
以下、本発明の実施の形態について図面を参照しながら説明する。
【００６２】
（実施の形態１）
図１に示すように、本発明の発電スイッチ装置は、発電手段の太陽電池１と前記太陽電池１の発電電力により導通するスイッチ手段の常時ＯＦＦリレー２を備え、前記常時ＯＦＦリレー２は電源ラインを導通する常時ＯＦＦ接点３と前記常時ＯＦＦ接点３を動作させる駆動コイル４とを備えており、前記発電スイッチ装置を商用電源５と電化製品６の電力消費部７との電源入力ラインに使用する構成としたものである。
【００６３】
上記のように構成した発電スイッチ装置について、図１と図２を参照しながら説明する。
【００６４】
まず、前記太陽電池１と前記常時ＯＦＦリレー２の選定方法について、図２を参照しながら説明する。図２は一般的な太陽電池のＩＶ特性を表しており、Ａ点は太陽電池開放時の電圧、Ｂ点は太陽電池短絡時の電流、Ｃ点は太陽電池の最大電力点を表している。一般的に太陽電池のＩＶ特性は、Ａ点からＢ点の間では電流による電圧低下はほとんどなく、電流がＢ点を超えると急激に電圧が低下するような特性を持っている。また、Ｂ点のＡ点に対する電圧低下は、Ａ点の開放電圧の約２割以下である。よって、リレーの接点を動作させる駆動コイルの動作電圧と動作電流の特性が、太陽電池の持つＩＶ特性の範囲Ｄの間にあるものを選択することで、太陽電池の発電電力により直接リレーを動作させることが可能となる。前記太陽電池１が一般的な太陽電池であるとすると、前記太陽電池１は図２と同じようなＩＶ特性を持つため、前記常時ＯＦＦリレー２の前記駆動コイル４の動作電圧と動作電流の特性が、前記太陽電池１の持つＩＶ特性の範囲Ｄの間にあるものを選定することで、前記太陽電池１の発電電力により前記駆動コイル４が動作し、前記常時ＯＦＦ接点３が導通してスイッチの役割を果たすことになる。これにより、前記商用電源５からの電力供給を必要としない自らの発電電力で動作する発電スイッチ装置が得られる。
【００６５】
また、図１に示すように、本発明の発電スイッチ装置を前記商用電源５と前記電化製品６の前記電力消費部７との電源入力ラインに使用する構成とすることで、部屋の照明が点灯したことによる明かりや昼間の太陽光を利用して前記太陽電池１が発電するまで前記常時ＯＦＦリレー２は導通せず、前記電化製品６のモーターやヒーターなどの機器やテレビやビデオなどのリモコン受光部やマイコンなどが実装されている制御回路など電力を消費する前記電力消費部７へ前記商用電源５から電力は供給されないため、前記電化製品６は電力を全く消費しない。このように前記太陽電池１の発電の有無により、前記電化製品６への電力供給を制御することが可能となる。たとえば、人が滞在しているときのみ照明を点灯させることが多い洗面所やトイレなどに設置される換気扇やハンドドライヤーなどであれば、部屋の照明の点灯による明かりにより前記太陽電池１が発電して前記常時ＯＦＦリレー２が導通することにより、換気扇やハンドドライヤーなどに電力を供給して使用可能状態もしくは運転状態にすることができる。また、部屋の照明が消灯すると前記太陽電池１の発電は無くなって前記常時ＯＦＦリレー２は不導通になり、換気扇やハンドドライヤーなどの電化製品への供給電力を停止することができる。これにより、換気扇やハンドドライヤーなどなどの電化製品を利用したいときに自動的に電力を供給し、使用しないときは停止するような電力供給を制御するスイッチとして利用することができる。
【００６６】
また、本発明のスイッチ装置を前記商用電源５と前記電化製品６との電力入力ライン間に使用する構成について説明したが、電源を必要とする電化製品などの電力供給を制御する利用方法であれば、その場所には限定されず、その作用効果に差異は生じない。
【００６７】
なお、図１のような構成において、本発明の発電スイッチ装置を前記電化製品６の電力供給を制御するためのスイッチとして利用したが、前記常時ＯＦＦリレー２の導通もしくは非導通をマイコンなどの入力ポートに入力してセンサのように利用することも可能である。例えば、前記太陽電池１の発電の有無により前記常時ＯＦＦリレー２が導通もしくは非導通することから部屋の明かりが点灯もしくは消灯したかを判断するセンサとして使用することも可能である。
【００６８】
また、前記発電手段に前記太陽電池１を利用したが、風力発電や水力発電などの自然エネルギーや小型の燃料電池など商用電源から独立して利用できる発電電力を利用するものであれば、その発電手段には限定されず、その作用効果に差異は生じない。
【００６９】
さらに、前記スイッチ手段に半導体リレーやサイリスタやトランジスタやトライアックやフォカプラなどの半導体スイッチを利用すれば、小型または長寿命の発電スイッチ装置を得ることができる。
【００７０】
また、前記スイッチ手段に前記常時ＯＦＦリレー２や半導体スイッチを利用したが、前記発電手段の発電電力を利用して動作するスイッチ機能または情報を伝える機能を備えた機器を利用するものであれば、その動作手段には限定されず、その作用効果に差異は生じない。
【００７１】
さらに、本発明の発電スイッチ装置が前記電化製品６に組み込まれている構成で説明したが、前記発電手段や前記スイッチ手段などが前記電化製品６から離れた場所にされても、その作用効果に差異は生じない。
【００７２】
（実施の形態２）
実施の形態１と同一部分は同一番号を付し、詳細な説明は省略する。
【００７３】
図３に示すように、本発明の発電スイッチ装置は、発電手段の太陽電池１と前記太陽電池１の発電電力により導通するスイッチ手段の常時ＯＮリレー８を備え、前記常時ＯＮリレー８は電源ラインを不導通する常時ＯＮ接点９と前記常時ＯＮ接点９を動作させる駆動コイル１０とを備えており、前記発電スイッチ装置を商用電源５と電化製品６の電力消費部７との電源入力ラインに使用する構成としたものである。
【００７４】
上記のように構成した発電スイッチ装置について、図２と図３を参照しながら説明する。
【００７５】
前記太陽電池１と前記常時ＯＮリレー８の選定方法については、実施の形態１で説明しているため、詳細な説明は省略する。前記太陽電池１が一般的な太陽電池であるとすると、前記太陽電池１は図２と同じようなＩＶ特性を持つため、前記常時ＯＮリレー８の前記駆動コイル１０の動作電圧と動作電流の特性が前記太陽電池１の持つＩＶ特性の範囲Dの間にあるものを選定することで、前記太陽電池１の発電電力により前記駆動コイル１０が動作し、前記常時ＯＮ接点９が不導通してスイッチの役割を果たすことになる。これにより、商用電源からの電力供給を必要としない自らの発電電力で動作する発電スイッチ装置が得られる。
【００７６】
また、図３に示すように、本発明の発電スイッチ装置を前記商用電源５と前記電化製品６の前記電力消費部７との電源入力ラインに使用する構成とすることで、部屋の照明の消灯や夜間で暗いとき前記太陽電池１は発電していないため、前記常時ＯＮリレー８は導通した状態になり前記電化製品６には前記商用電源５から電力が供給される。そして、部屋の照明が点灯したことによる明かりや昼間の太陽光を利用して前記太陽電池１が発電すると、前記常時ＯＮリレー８の前記駆動コイル１０が動作して前記常時ＯＮ接点９が不導通となり、前記商用電源５から前記電化製品６のモーターやヒーターなどの機器やテレビやビデオなどのリモコン受光部やマイコンなどが実装されている制御回路など電力を消費する前記電力消費部７への電力供給は停止し、前記電化製品６は電力を全く消費しない。このように前記太陽電池１の発電の有無により、前記電化製品６への電力供給を制御することが可能となる。たとえば、監視カメラなど部屋に人が滞在していないときや夜間にのみ使用することが多い機器の場合、部屋の照明の点灯による明かりや昼間の太陽光があるときは、前記太陽電池１の発電電力により前記常時ＯＮリレー８が動作して不導通になり、前記商用電源５から監視カメラには電力が供給されないため停止する。また、部屋の照明の消灯や太陽が沈んで周りが暗くなったときは、前記太陽電池１の発電電力が無くなるため、前記常時ＯＮリレー８は導通して監視カメラなどの機器に前記商用電源５から電力が供給され、監視カメラは使用可能状態もしくは運転状態にすることができる。これにより、監視カメラなどの電化製品を利用したいときに自動的に電力を供給し、使用しないときは停止するような電力供給を制御するスイッチとして利用することができる。
【００７７】
なお、本発明のスイッチ装置について、前記発電スイッチ装置を前記商用電源５と前記電化製品６との電力入力ライン間に使用する構成について説明したが、電源を必要とする電化製品などの電力供給を制御する利用方法であれば、その場所には限定されず、その作用効果に差異は生じない。
【００７８】
また、図３のような構成において、本発明の発電スイッチ装置を前記電化製品６の電力供給を制御するためのスイッチとして利用したが、前記常時ＯＮリレー８の導通もしくは非導通をマイコンなどの入力ポートに入力してセンサのように利用することも可能である。例えば、前記太陽電池１の発電の有無により前記常時ＯＮリレー８が導通もしくは非導通することから部屋の明かりが点灯もしくは消灯したかを判断するセンサとして使用することも可能である。
【００７９】
また、前記発電手段に前記太陽電池１を利用したが、風力発電や水力発電などの自然エネルギーや小型の燃料電池など商用電源から独立して利用できる発電電力を利用するものであれば、その発電手段には限定されず、その作用効果に差異は生じない。
【００８０】
さらに、前記スイッチ手段に半導体リレーやサイリスタやトランジスタやトライアックやフォカプラなどの半導体スイッチを利用すれば、小型または長寿命の発電スイッチ装置を得ることができる。
【００８１】
また、前記スイッチ手段に前記常時ＯＮリレー８や半導体スイッチを利用したが、前記発電手段の発電電力を利用して動作するスイッチ機能または情報を伝える機能を備えた機器を利用するものであれば、その動作手段には限定されず、その作用効果に差異は生じない。
【００８２】
さらに、本発明の発電スイッチ装置が前記電化製品６に組み込まれている構成で説明したが、前記発電手段や前記スイッチ手段などが前記電化製品６から離れた場所にされても、その作用効果に差異は生じない。
【００８３】
（実施の形態３）
実施の形態１と実施の形態２と同一部分は同一番号を付し、詳細な説明は省略する。
【００８４】
図４に示すように、本発明の発電スイッチ装置は、発電手段の太陽電池１と前記太陽電池１の発電電力を適切な電力に変換するＤＣ／ＤＣ変換器１１と前記ＤＣ／ＤＣ変換器１１により変換された電力により導通するスイッチ手段の常時ＯＦＦリレー２を備え、前記発電スイッチ装置を商用電源５と電化製品６の電力消費部７との電源入力ラインに使用し、さらに前記太陽電池１の発電電力を前記ＤＣ／ＤＣ変換器１１を介して前記電力消費部７のダイオードブリッジ１２と制御回路部１３の間に供給して利用する構成としたものである。また、前記ＤＣ／ＤＣ変換器１１は前記太陽電池１が発電した直流電力の電圧が前記常時ＯＦＦリレー２の駆動コイル４を駆動する直流電圧と違う場合、前記駆動コイル４の動作電圧に直流電圧を変換するものであり、前記ダイオードブリッジ１２は前記商用電源５の交流を全波整流して直流に変換するものである。また、前記制御回路部１３は、前記ダイオードブリッジ１２により全波整流された直流電力を消費する回路である。また、ダイオード１４は前記ダイオードブリッジ１２で整流された直流電力が前記駆動コイル４などへ電力が逆流するのを防止するものである。
【００８５】
上記のように構成した発電スイッチ装置について、図２と図４を参照しながら説明する。前記ＤＣ／ＤＣ変換器１１は、前記太陽電池１が発電した直流電力の電圧が前記常時ＯＦＦリレー２の駆動コイル４を駆動する直流電圧よりも高い場合、前記駆動コイル４の動作電圧まで直流電圧を降圧する。このとき、前記ＤＣ／ＤＣ変換器１１は、降圧側の電圧すなわち前記駆動コイル４の動作電圧を一定に保つように制御する。また、前記太陽電池１と前記常時ＯＦＦリレー２の選定方法は、前記太陽電池１の発電できる最大発電電力よりも前記常時ＯＦＦリレー２の前記駆動コイル４の動作に必要な電力と前記ＤＣ／ＤＣ変換器１１の電力損失と前記制御回路部１３の消費電力を加算した電力よりも大きくなるようにそれぞれを選定すれば、前記太陽電池１が一般的な太陽電池とすると、図２に示すようなＩＶ特性を持つため、前記太陽電池１は図２に示すＩＶ特性の範囲Ｄの間で発電するようになる。ただし、前記制御回路部１３が動作できる直流電圧は、ある程度の電圧範囲を持ち前記駆動コイル４の動作電圧よりも小さくする必要がある。これにより、前記太陽電池１の発電電力と前記常時ＯＦＦスイッチ２を動作させる電圧の違いなどによる組み合せの問題点を解消し、利用できる機器の組み合せの拡大を図ることができる。
【００８６】
次に、前記太陽電池１の発電電力を前記電化製品６の前記電力消費部７で利用する方法について説明する。図４には示していないが、前記ダイオードブリッジ１２の入力側に前記商用電源５の電圧を変換するトランスなどを設置して電圧の大きさを調整し、前記ダイオードブリッジ１２の出力側に平滑用の電解コンデンサなどを並列に接続して、リプルの小さい直流電力を得ることも可能である。前記ＤＣ／ＤＣ変換器１１の変換電圧を前記ダイオードブリッジ１２で整流された直流電圧よりも大きくすると、前記太陽電池１の発電電力が十分にあれば前記商用電源５からの電力は前記ダイオードブリッジ１２を介して供給されることはないため、前記電化製品６は電力を消費することはない。前記太陽電池１の発電電力が無くなれば、前記ＤＣ／ＤＣ変換器１１の変換電圧が前記ダイオードブリッジ１２で整流された直流電圧よりも小さくなり、前記制御回路部には前記商用電源５から電力が供給されることになる。このとき、図４に示す前記ダイオード１４を備えておくことで電力の逆流を防止でき、前記太陽電池１の発電が無くなると、前記常時ＯＦＦスイッチ２は不導通になり、前記商用電源５から前記電化製品６への電力供給を遮断でき、前記商用電源５からの電力消費を無くすことができる。
【００８７】
図４に示した構成の発電スイッチ装置を、トイレなどの換気扇や洗面所などのハンドドライヤーなどに利用すれば、人がトイレや洗面所などで照明などの明かりを点灯させたときに前記太陽電池１が発電し前記常時ＯＦＦリレー２が導通するため、人がいることを検出して換気扇やハンドドライヤーなどの電源供給ラインがつながる。しかし、換気扇やハンドドライヤーなどが自動的に使用可能状態となって待機している状態でも、前記電化製品６の待機電力分は前記太陽電池１の発電電力から供給されるため、換気扇やハンドドライヤーは前記商用電源５から待機電力をまったく消費することがない。これにより、換気扇やハンドドライヤーなどに使用されているセンサやマイコンなどで常時消費される待機電力をすべて無くすことができる。
【００８８】
ここでは、前記ＤＣ／ＤＣ変換器１１を降圧のＤＣ／ＤＣ変換器として説明したが、昇圧のＤＣ／ＤＣ変換器であっても、前記太陽電池１で発電した電力を利用したい電力に変換して利用するのであれば、その作用効果に差異は生じない。
【００８９】
また、前記電力変換の使用は１つだけであるが、前記常時ＯＦＦリレー２と前記電力消費部７にそれぞれのＤＣ／ＤＣ変換器を利用するなど、前記発電手段で発電した電力を利用したい電力に変換して利用するのであれば、個数や利用場所には限定されず、その作用効果に差異は生じない。
【００９０】
また、同様の構成で前記電力変換手段にＡＣ／ＤＣ変換器を利用すれば、前記発電手段１で発電した交流電力を直流電力に変換して利用することが可能となる。
【００９１】
また、同様の構成で前記電力変換手段にＡＣ／ＡＣ変換器を利用すれば、前記発電手段１で発電した交流電力を任意の交流電力に変換して利用することが可能となる。
【００９２】
また、同様の構成で前記電力変換手段にＤＣ／ＡＣ変換器を利用すれば、前記発電手段１で発電した直流電力を任意の交流電力に変換して利用することが可能となる。
【００９３】
また、前記電力変換手６にＤＣ／ＤＣ変換器やＡＣ／ＤＣ変換器やＡＣ／ＡＣ変換器やＤＣ／ＡＣ変換器を利用したが、電力を使用したい形態に変換する機能を利用するものであれば、その動作手段には限定されず、その作用効果に差異は生じない。
【００９４】
さらに、本発明の発電スイッチ装置が前記電化製品６に組み込まれている構成で説明したが、前記発電手段や前記スイッチ手段などが前記電化製品６から離れた場所にされても、その作用効果に差異は生じない。
【産業上の利用可能性】
【００９５】
本発明の発電スイッチ装置は、発電する機器の特性に合わせてその電力を用いることでスイッチもしくはセンサとして活用できる。
【図面の簡単な説明】
【００９６】
【図１】本発明の実施の形態１の発電スイッチ装置の構成図
【図２】同太陽電池のＩＶ特性を示す図
【図３】本発明の実施の形態２の発電スイッチ装置の構成図
【図４】本発明の実施の形態３の発電スイッチ装置の構成図
【符号の説明】
【００９７】
１    太陽電池
２    常時ＯＦＦリレー
３    常時ＯＦＦ接点
４    駆動コイル
５    商用電源
６    電化製品
７    電力消費部
８    常時ＯＮリレー
９    常時ＯＮ接点
１０  駆動コイル
１１  ＤＣ／ＤＣ変換器
１２  ダイオードブリッジ
１３  制御回路部
１４  ダイオード
【図１】
2007020292.tif 000003
【図２】
2007020292.tif 000004
【図３】
2007020292.tif 000005
【図４】
2007020292.tif 000006